(57)【要約】【課題】  遊技盤の不正な取り外しを確実に防止する。【解決手段】  セキュリティキー５２の第２軸部６０に孔６５ａ，６５ｂを形成しておき、これらが形成されている箇所の肉厚が薄くなるように形成した。このように、セキュリティキー５２の先端がキーシリンダ５４に挿入されて封印処理されている場合に遊技盤６を本体枠２から取り外そうとすると、セキュリティキー５２に応力が発生し、第２軸部６０は、孔６５ａ，６５ｂが設けられている一方の箇所で破断する。破断しなかった他方の箇所には、変形や白化等のように、軸部５５に応力が生じた痕跡が残るので、その痕跡を確認することで不正行為の有無を容易に確認できる。また、破断した箇所も変形を伴うので、セキュリティキー５２の破断後における修復を困難にすることができる。【選択図】        図９
2007014558.tif 000002
【特許請求の範囲】
【請求項１】
軸部と、前記軸部の先端に設けられる係止部と、前記軸部の外周面から突出するように前記軸部の後端に形成される操作ツマミ部とを有し、遊技盤に形成される貫通孔に挿通したときに、前記遊技盤を着脱自在に組み付ける遊技機本体に設けられた係合部と前記係止部とが係合して引き抜き方向への移動が阻止され、前記遊技盤が前記遊技機本体から取り外されることを前記操作ツマミ部によって阻止する遊技機のセキュリティキーにおいて、
前記セキュリティキーは、透明な部材によって一体成形され、前記軸部は、前記軸部の軸方向と直交する向きに延びた複数の孔を前記操作ツマミ部と近接する位置に備えたことを特徴とするセキュリティキー。
【請求項２】
前記複数の孔は、前記軸方向に並んだ同一形状の孔であることを特徴とする請求項１記載のセキュリティキー。
【請求項３】
前記孔は、前記軸部の軸方向及び前記孔の延びる方向と直交する方向を長手方向とする長孔形状であって、前記孔の長手方向の端部と前記外周面とが近接するように設けられていることを特徴とする請求項１又は２記載のセキュリティキー。
【請求項４】
前記操作ツマミ部は、前記遊技盤に設けられた回転規制部によって前記軸部の回転が阻止される規制片を備え、前記係止部が前記係合部に係合した状態では前記回転が阻止され、前記規制片を前記操作ツマミ部から破断し、前記規制片が破断された操作ツマミ部を回転操作することによって前記軸部を回転させて、前記係合を解除することを特徴とする請求項１ないし３のいずれか一に記載のセキュリティキー。
【発明の詳細な説明】
【技術分野】
【０００１】
本発明は、遊技店等において使用されるパチンコ機等の遊技機に関し、さらに詳しくは、遊技機の不正改造防止に使用されるセキュリティキーに関する。
【背景技術】
【０００２】
パチンコ店等の遊技場において使用される遊技機の代表的なものにパチンコ機がある。パチンコ機には、始動口、センター役物及びアタッカ等の各種装置が配設されている遊技盤が本体基部に保持されている。パチンコ機は、次のように遊技が行われる。すなわち、遊技開始時に遊技者が操作ハンドルを操作して遊技が開始されると、パチンコ球を弾発する発射装置によって、パチンコ球は遊技盤の盤面に打ち出される。パチンコ球は、前述した遊技盤の盤面を流下していきながら始動口に入賞するか、又は遊技盤の下部に設けられたアウト口に流入する。
【０００３】
パチンコ球が始動口に入賞すると、所定数の賞球が払い出されるとともに、大当たり状態に移行するか否かの移行抽選が行われる。この移行抽選の結果は、センター役物に設けられている可変表示装置に表示され、遊技者は可変表示装置の表示を見ることによって移行抽選に当選したか否かを知ることができる。
【０００４】
可変表示装置は、例えば３桁の図柄表示が行われるようになっている。前述した移行抽選に当選した場合には、「７−７−７」等のように予め定められた図柄が表示される。移行抽選に当選して大当たり状態になると、一定の条件の下でアタッカの開閉動作を行い、その奥側に設けられている大入賞口が露呈される。アタッカが開放されている時は、遊技盤の盤面を流下するパチンコ球がアタッカによって案内されて大入賞口に入賞しやすくなっている。このため、大当たり状態になると遊技者は大量の賞球を獲得することができる。
【０００５】
このようなパチンコ機での遊技は、制御装置によって制御されている。制御装置は、遊技盤が取り付けられているユニットの背面側に取り付けられており、遊技盤を取り外したり、遊技場に設置されている固定枠に対して本体基部を回動させない限りは、外部から視認できないようになっている。したがって、従来から、遊技盤を取り外したり、固定枠に対して本体基部を回動させて制御装置を不正に改造することによって遊技者の興趣を不必要に煽ったり、遊技者に与えるべき利益を減少させる等の行為が行われないように種々の防止策が採られている。
【０００６】
このような不正な行為を防止する方法として、セキュリティキーを使用する方法がある。この方法は、本体基部にセキュリティキーと係合する係合部を設けておき、セキュリティキーを遊技盤に設けられた貫通孔の前面側から挿入して、セキュリティキーの先端部に設けられた係止部と係合部とを係合させ、遊技盤を本体基部とセキュリティキーとによって結合させておくものである。この場合には、セキュリティキーを破断させないと遊技盤を取り外すことが出来ないので、セキュリティキーが破断されているか、或いはセキュリティキーが破断された後に復元されているかを確認することによって、上述した不正な行為が行われたか否かを判断することができる。
【０００７】
しかし、セキュリティキーは、ほとんどの部分が遊技盤の貫通孔等に挿入された状態になっており、セキュリティキーが破断しているか否かを目視により確認することは容易でないという問題があった。このような問題を解決するために、例えば特許文献１のような弾球遊技機が考案されている。特許文献１に記載の弾球遊技機は、透光性を有する部材によってセキュリティキーを形成しておき、このセキュリティキーの挿通軸の先端部に光を照射してセキュリティキーの内部を透過させ、後端部における光り具合を確認することによって不正行為が行われたか否かを確認することができる。例えば、セキュリティキーが破断した状態の場合には、透過した光が破断面で乱反射するため、破断していないセキュリティキーとは異なる光り具合をする。この光り具合の違いによって、不正に遊技盤が取り外されているか否かを確認することができる。
【特許文献１】特開２００５−１３５４５号公報
【発明の開示】
【発明が解決しようとする課題】
【０００８】
しかしながら、特許文献１記載の弾球遊技機の場合には、セキュリティキーに光を照射する発光部材等を取り付ける必要があるため、パチンコ機等の製造時におけるコストアップに繋がるおそれがあるという問題がある。また、不正改造されたか否かをチェックする際には、その都度、又は常時ＬＥＤを点灯させておかなければならない。このため、遊技店で使用する場合にも、経費が増加するという問題がある。
【０００９】
本発明は、上記問題点を解決するためになされたものであり、その目的とするところは、簡便な方法で遊技盤の不正改造の有無を発見することができ、かつそれに必要なコストをも減少させることが可能な遊技機を提供することにある。
【課題を解決するための手段】
【００１０】
上記問題点を解決するにあたり、本発明のセキュリティキーは、軸部と、前記軸部の先端に設けられる係止部と、前記軸部の外周面から突出するように前記軸部の後端に形成される操作ツマミ部とを有し、遊技盤に形成される貫通孔に挿通したときに、前記遊技盤を着脱自在に組み付ける遊技機本体に設けられた係合部と前記係止部とが係合して引き抜き方向への移動が阻止され、前記遊技盤が前記遊技機本体から取り外されることを前記操作ツマミ部によって阻止する遊技機のセキュリティキーにおいて、前記セキュリティキーは、透明な部材によって一体成形され、前記軸部は、前記軸部の軸方向と直交する向きに延びた複数の孔を前記操作ツマミ部と近接する位置に備えたことを特徴とする。ここで、遊技盤には、遊技盤のみならず遊技盤をユニットとして構成しているものも含む。また、遊技機本体には、遊技機の本体基部及び本体基部に支持される支持部材のいずれをも含む。また、操作ツマミ部の近傍には、操作ツマミ部に近接する位置のほか、セキュリティキーを遊技機本体に取り付けたときに、複数の孔の状態を確認することが可能な位置をも含む。また、孔には、軸部を貫通する貫通孔のみならず、有底孔をも含む。
【００１１】
なお、前記複数の孔は、前記軸方向に並んだ同一形状の孔であることが好ましい。
【００１２】
また、前記孔は、前記軸部の軸方向及び前記孔の延びる方向と直交する方向を長手方向とする長孔形状であって、前記孔の長手方向の端部と前記外周面とが近接するように設けられていることが好ましい。
【００１３】
また、前記操作ツマミ部は、前記遊技盤に設けられた回転規制部によって前記軸部の回転が阻止される規制片を備え、前記係止部が前記係合部に係合した状態では前記回転が阻止され、前記規制片を前記操作ツマミ部から破断し、前記規制片が破断された操作ツマミ部を回転操作することによって前記軸部を回転させて、前記係合を解除することが好ましい。
【発明の効果】
【００１４】
本発明によれば、軸部と、前記軸部の先端に設けられる係止部と、前記軸部の外周面から突出するように前記軸部の後端に形成される操作ツマミ部とを有し、遊技盤に形成される貫通孔に挿通したときに、前記遊技盤を着脱自在に組み付ける遊技機本体に設けられた係合部と前記係止部とが係合して引き抜き方向への移動が阻止され、前記遊技盤が前記遊技機本体から取り外されることを前記操作ツマミ部によって阻止する遊技機のセキュリティキーにおいて、前記セキュリティキーは、透明な部材によって一体成形され、前記軸部は、前記軸部の軸方向と直交する向きに延びた複数の孔を前記操作ツマミ部と近接する位置に備えたから、遊技盤を不正に取り外すような不正行為が行われた場合であって、複数の孔が設けられている箇所のいずれかにおいて軸部が破断したときは、破断しなかった他の箇所に歪みや白化等を発生させることができる。したがって、不正行為を行った後にセキュリティキーを破断させる前の状態に復元し、不正行為が行われていないように見せかける行為を容易に行えなくすることが可能になる。また、複数の孔は操作ツマミ部の近傍に形成されているので、複数の孔が形成された箇所に生じた歪み等を点検時に容易に確認することが可能になる。
【００１５】
また、前記複数の孔は、前記軸方向に並んだ同一形状の孔であるから、複数の孔が設けられている箇所のいずれかにおいて軸部が破断した場合には、破断しなかった他の孔が設けられている箇所に確実に変形や白化等の痕跡を残すことが可能になる。したがって、他の孔に変形その他の痕跡を残す前にセキュリティキーが破断するような不都合を防止することが可能になる。
【００１６】
また、前記孔は、前記軸部の軸方向及び前記孔の延びる方向と直交する方向を長手方向とする長孔形状であって、前記孔の長手方向の端部と前記外周面とが近接するように設けられているから、不正行為が行われてセキュリティキーに力が加えられた時に、孔が設けられている箇所において軸部を破断しやすくすることができる。また、破断しなかった他の孔が設けられている箇所における歪み等を発生しやすくすることができる。したがって、セキュリティキーを破断させる前の状態に復元することをより困難にし、不正行為が行われていないかのように見せかける行為を容易に行えなくすることが可能になる。
【００１７】
また、前記操作ツマミ部は、前記遊技盤に設けられた回転規制部によって前記軸部の回転が阻止される規制片を備え、前記係止部が前記係合部に係合した状態では前記回転が阻止され、前記規制片を前記操作ツマミ部から破断し、前記規制片が破断された操作ツマミ部を回転操作することによって前記軸部を回転させて、前記係合を解除するから、不正行為を行う目的でセキュリティキーを引き抜いた場合には、規制片が切断されていることが不正目的でセキュリティキーを引き抜いた痕跡となるので、不正行為が行われたことを容易に発見することが可能になる。
【発明を実施するための最良の形態】
【００１８】
図１に示すように、パチンコ機１には、その前面にガラス枠２が設けられている。ガラス枠２は、基体となる本体枠（遊技機本体）３に保持されている後述する支持枠に開閉自在に取り付けられている。また、ガラス枠２は、ほぼ中央に開口４を備えている。この開口４は、ガラス枠２の裏面に開閉自在に取り付けられているガラス５によって塞がれており、ガラス枠２の奥側に取り付けられている遊技盤６が視認できるようになっている。また、本体枠３には、遊技開始時等にパチンコ球を貯留する受け皿７、図示しない発射装置の弾発強さを調節する操作ハンドル８、及び賞球等を払い出す払い出し口９が設けられている。なお、符号１０は、パチンコ機１を遊技場に設置する際に本体枠３を固定する固定枠である。
【００１９】
図２に示すように、ガラス枠２を開けると、その奥側に配設されている遊技盤６が露呈される。遊技盤６は、弾発されたパチンコ球が流下する遊技領域１２を備えている。遊技領域１２は、始動口１３、図柄可変表示装置１４、通過入賞口１５、アタッカ１６、大入賞口１７及びアウト口１８等を備えている。遊技領域１２を流下するパチンコ球が始動口１３に入賞すると、当たり又はハズレの移行抽選が行われる。移行抽選に当選すると当たりの演出抽選が行われ、当たり演出に用いられる演出画像、及び停止図柄が選択される。同様に、ハズレが決定されたときにはハズレの演出抽選が行われ、ハズレ演出に用いられる演出画像、及び停止図柄が選択される。
【００２０】
図柄可変表示装置１４は、始動口１３にパチンコ球が入賞すると「１〜９」の数字で表される図柄の変動表示を開始する。図柄の変動表示の背景には、前述した演出抽選によって選択された演出画像が同時に表示される。そして、演出画像の表示の終了を待って特別図柄の変動表示が停止し、演出抽選で選ばれた停止図柄が図柄可変表示装置１４に表示される。移行抽選の抽選結果がハズレであるときには、次の移行抽選の待機状態になる。また、すでに始動口１３にパチンコ球が入賞していることが記憶されて保留状態になっているときには、引き続き移行抽選並びに特別図柄及び演出画像の表示が開始される。
【００２１】
特別図柄の変動表示が停止して「７−７−７」のように予め定められた当たり図柄が停止図柄として表示されると、遊技は大当たり状態に移行する。大当たり状態ではアタッカ１６が開放され、その奥側に設けられた大入賞口１７が露呈される。これにより、遊技領域１２を流下するパチンコ球がアタッカ１６によって大入賞口１７に案内されて、大量の賞球が払い出し口９から払い出される。アタッカ１６が開放して大入賞口１７に１０個のパチンコ球が入賞するか、又はアタッカ１６の開放時間が３０秒経過すると、アタッカ１６が一旦閉じる。ここで、アタッカ１６が開放されているときに、大入賞口１７の内部に設けられた継続入賞口（図示せず）にパチンコ球が入賞していた場合には、再びアタッカ１６が開放される。大当たり状態の遊技は、アタッカ１６が開放してから閉じるまでの遊技を１ラウンドとしており、継続入賞口にパチンコ球が入賞すると、次のラウンドに移行するように制御されている。このラウンドは、最高１５ラウンドまで繰り返し行われる。
【００２２】
図３に示すように、本体枠３には支持枠２１が着脱自在に取り付けられている。本体枠３には、支持枠固定部材２２が設けられている。支持枠固定部材２２は、本体枠３を正面から見た場合の右上側及び右下側に設けられている。支持枠固定部材２２は、本体枠３から正面側に向けて延びるように設けられている回動軸と、回動軸の先端部に回転自在に取り付けられている係止部材とから構成されている。また、本体枠３には、本体枠３を正面から見た場合の左上側に後述するキーシリンダ５４がネジ止めされている。
【００２３】
支持枠２１には、ガラス枠２が回動自在に組み付けられているほかに、後述する遊技盤ユニット２７が組み付けられている。また、支持枠２１は、固定部材取付孔２４、遊技盤ユニット取付部２５及び遊技盤ユニット固定部材２６を備えている。固定部材取付孔２４は、支持枠２１を正面から見た場合の右上側及び右下側に設けられており、支持枠固定部材２２が挿通可能となるように形成されている。支持枠２１を本体枠３に取り付ける場合には、固定部材取付孔２４の背面側から表面側に向けて支持枠固定部材２２を挿通させながら、支持枠２１を本体枠３に挿入する。支持枠２１が本体枠３に挿入されると、支持枠固定部材２２の係止部材が固定部材取付孔２４の前方に突出するので、この状態で係止部材を回転させて、支持枠固定部材２２が固定部材取付孔２４から抜けないようにして、支持枠固定部材２２を固定する。
【００２４】
遊技盤ユニット取付部２５は、支持枠２１の中央部に設けられており、着脱自在な遊技盤ユニット２７が支持枠２１に取り付けられたときに、遊技盤ユニット２７の背面側から取り付けられている各種装置が支持枠２１の背面側に突出するように開口している。遊技盤ユニット固定部材２６は、支持枠２１を正面から見た場合に、遊技盤ユニット取付部２５の右上側及び右下側に設けられている。遊技盤ユニット固定部材２６は、遊技盤ユニット取付部２５から正面側に向けて延びるように設けられている回動軸と、回動軸の先端部に回転自在に取り付けられている係止部材とから構成されている。
【００２５】
遊技盤ユニット２７は、取付孔２９を備えている。取付孔２９は、遊技盤ユニット２７を正面から見た場合に、遊技盤ユニット２７の右上側及び右下側に設けられており、遊技盤ユニット固定部材２６が挿通可能となるように形成されている。遊技盤ユニット２７を支持枠２１に取り付ける場合には、取付孔２９の背面側から表面側に向けて遊技盤ユニット固定部材２６を挿通させながら、遊技盤ユニット２７を遊技盤ユニット取付部２５に挿入する。遊技盤ユニット２７が遊技盤ユニット固定部材２６に挿入されると、遊技盤ユニット固定部材２６の係止部材が取付孔２９の前方に突出するので、この状態で係止部材を回転させて、遊技盤ユニット固定部材２６が取付孔２９から抜けないようにして、遊技盤ユニット２７を固定する。
【００２６】
図４に示すように、遊技盤ユニット２７は、遊技領域規定枠３１、遊技盤６及び支持体３２から構成されている。遊技領域規定枠３１は、枠本体３３、外レール３４、第１内レール３５、第２内レール３６から構成されている。これらの部材は、摺動性及び耐磨耗性に優れた部材によって形成されている。外レール３４と第１内レール３５との間には、発射装置によって弾発されたパチンコ球を遊技領域１２に向けてガイドするガイド部３７が形成されている。また、枠本体３３の中央には、パチンコ球の移動を規制するための開口３８が形成されている。また、開口３８の下方には、アウト口１８の前面装飾が形成されている。第１内レール３５及び第２内レール３６の側壁面３５ａ，３６ａは開口３８に面しており、遊技領域１２を規定している。なお、外レール３４、第１内レール３５及び第２内レール３６は、それぞれ図示しないビス等によって枠本体３３に固定される。また、遊技領域規定枠３１の背面側の上下左右の４ヶ所には、係止ツマミ３９が突出するように設けられている。係止ツマミ３９は、後述する支持体３２に設けられているボス４６の開口４６ａに挿入できるように形成されている。
【００２７】
遊技盤６は、始動口１３等の各種入賞口、並びに開口４２、４３及び貫通孔４４を備えている。開口４２は、遊技盤６の中央部に設けられており、その奥側に配設されている図柄可変表示装置１４を視認可能とするように形成されている。開口４３は、遊技盤６の上下左右の４ヶ所に設けられており、後述するボス４６が挿通可能となる大きさに形成されている。貫通孔４４は、遊技盤６を正面から見た場合の左上側に設けられている。また、貫通孔４４は、遊技盤６を正面から見た場合には、四角形状になるように形成されている。この貫通孔４４は、後述するセキュリティキー５２の挿通及び引き抜きが行われたときに、セキュリティキー５２の軸部５５及び係止部６２が挿通できる大きさに形成されている。
【００２８】
支持体３２は、リブ４５、ボス４６及び切り欠き４７を備えている。リブ４５は支持体３２の前面に複数設けられており、これらのリブ４５によって球通路４５ａが形成されている。球通路４５ａは、遊技中に各入賞口及びアウト口１８に入ったパチンコ球が予め定められた受け部に案内されるように形成されている。ボス４６は、支持体３２の上下左右の４ヶ所に設けられている。ボス４６は、遊技盤６の開口４３に対して背面側から挿入できるように形成されている。ボス４６が開口４３に挿通されることによって、支持体３２は遊技盤６に対する固定位置が決定される。また、各ボス４６には、開口４６ａが設けられている。開口４６ａは横長の矩形状に形成されており、遊技領域規定枠３１の係止ツマミ３９が挿通できるようになっている。
【００２９】
切り欠き４７は、支持体３２を正面から見た場合の左上側に設けられている。この切り欠き４７は、後述するセキュリティキー５２を後述するキーシリンダ５４に挿入するときに、支持体３２がセキュリティキー５２と干渉しないように設けられている。なお、セキュリティキー５２と干渉しないようにするためには、本実施形態のように切り欠き４７を形成するほかに、セキュリティキー５２を挿通できるように開口を形成してもよい。なお、図示していないが、支持体３２の背面側には、遊技を行う際に動作する図柄可変表示装置１４等の各種装置を制御する制御装置が配設されている。制御装置は、遊技の進行において各種装置を制御するメインプログラム及び図柄可変表示装置１４の可変表示制御を行う演出プログラムが記憶されているプログラムＲＯＭ、図柄可変表示装置１４で表示する画像データ、音声データ等が記憶されているデータＲＯＭ、及びメモリコントローラ等を備えている。
【００３０】
次に、ロック機構５１の構成について説明する。ロック機構５１とは、遊技盤ユニット２７が本体枠３から取り外されることを防止するための機構である。図５に示すように、ロック機構５１は、セキュリティキー５２、回転規制部５３及びキーシリンダ５４から構成されている。セキュリティキー５２は、透明な樹脂製の部材で形成されている。また、セキュリティキー５２は、軸部５５、鍔部５７及び操作ツマミ部５８から構成されている。
【００３１】
軸部５５は、軸径の異なる第１軸部５９及び第２軸部６０を備えている。これら第１軸部５９と第２軸部６０との間にはテーパ部６１が形成されており、第１軸部５９と第２軸部６０との間に段差が形成されないようになっている。第１軸部５９は、一端側がテーパ部と連なるように形成されている。また、第１軸部５９は、一端側とは反対側となる他端側の先端部に一対の係止部６２を備えている。係止部６２は、第１軸部５９の先端部において、操作ツマミ部５８の長手方向と平行になる方向に設けられている。係止部６２は楔状に形成され、第１軸部５９の他端側から一端側に向けて、第２軸部６０の円周面から厚みを持たせるように形成された斜面６２ａ，６２ｂと、第１軸部５９の一端側に第２軸部６０の軸方向に対してほぼ直角になるように形成された端面６２ｃとを有している。
【００３２】
第２軸部６０は、テーパ部６１と鍔部５７との間に設けられている。第２軸部６０は、その軸径が第１軸部５９よりも太くなるように形成されている。また、第２軸部６０は、鍔部５７と近接する位置にＶ字型の溝６４ａ，６４ｂが軸部５５の全周にわたって形成されている。これら溝６４ａ，６４ｂは一定の間隔をあけて設けられている。また、これら溝６４ａ，６４ｂが設けられている箇所には、貫通孔６５ａ，６５ｂがそれぞれ設けられている。これら貫通孔６５ａ，６５ｂは、軸部５５の回転軸及び操作ツマミ部５８の長手方向と直交する方向に貫通するように設けられている。この軸部５５の回転軸及び操作ツマミ部５８の長手方向と直交する方向から貫通孔６５ａ，６５ｂを見た場合には、貫通孔６５ａ，６５ｂは、六角形となるように形成されている。溝６４ａ，６４ｂ及び貫通孔６５ａ，６５ｂの軸方向に対する位置は、次のようになっている。すなわち、操作ツマミ部５８の長手方向と平行な方向における貫通孔６５ａ，６５ｂの端部の位置と、溝６４ａ，６４ｂにおいて軸部５５の軸径が最も細くなっている底部の位置とが一致するようにそれぞれ設けられている。図８に示すように、図７中のＢ−Ｂ´地点の軸部５５の断面を見ると、貫通孔６５ａ，６５ｂが設けられている箇所の肉厚（図８中の斜線部）が最も薄くなるように形成されている。
【００３３】
鍔部５７は、円板状の部材で形成されている。鍔部５７は、その一端側に第２軸部６０が、他端側に操作ツマミ部５８が設けられている。鍔部５７は、一端側の面５７ａの位置と後述する規制片６７の先端部６７ａに形成されている面６７ｂの位置とが面一になるように形成されている。また、鍔部５７は、キーシリンダ５４にセキュリティキー５２が挿入されたときに、後述する回転溝６９の径よりも小さく、かつ後述する貫通孔７０よりも大きくなるように形成されている。
【００３４】
操作ツマミ部５８は、ツマミ本体６６及び規制片６７から構成されている。ツマミ本体６６は縦長の板状の部材によって形成されている。ツマミ本体６６は、鍔部の他端側に設けられている。また、ツマミ本体６６は、鍔部５７より大きく、かつ後述する回転溝６９より小さくなるように形成されている。また、ツマミ本体６６は、ツマミ本体６６の長手方向及び軸部５５の軸方向と直交する方向の中心と軸部５５の回転軸の中心とが一致するように形成されている。規制片６７は、ツマミ本体６６の上部に設けられており、セキュリティキー５２が挿入される方向に突出した先端部６７ａを備えている。先端部６７ａは、鍔部５７の一端側に形成された面５７ａと面一になる面６７ｂを有している。先端部６７ａは、後述するキーシリンダ５４にセキュリティキー５２が挿入されたときに、遊技領域規定枠３１に設けられた後述するキー溝７１に挿入される。また、ツマミ本体６６と規制片６７との境界部には、軸部５５の軸方向及びツマミ本体６６の長手方向と直交する方向に溝６８が設けられている。この溝６８は、ツマミ本体６６と規制片６７とを切断する際の切断位置となっている。
【００３５】
回転規制部５３は、遊技領域規定枠３１を正面から見た場合の遊技領域規定枠３１の左上側に設けられている（図４参照）。回転規制部５３は、回転溝６９に貫通孔７０及びキー溝７１が設けられて構成されている。回転溝６９は、円形状に形成されており、セキュリティキー５２のツマミ本体６６が軸部５５の回転軸を中心に回転できる大きさに形成されている。貫通孔７０は、回転溝６９の中央に設けられており、キーシリンダ５４にセキュリティキー５２が挿入されるときに、軸部５５及び係止部６２が挿通できる大きさに開口している。キー溝７１は、回転溝６９の上部に形成されている。キー溝７１は、セキュリティキー５２がキーシリンダ５４に挿入されているときに、そのセキュリティキー５２に設けられている規制片６７の先端部が挿入でき、挿入された後は操作ツマミ部５８の回転動作を規制するように形成されている。
【００３６】
キーシリンダ５４は、支持枠２１の背面側からネジ止めされている。キーシリンダ５４は、本体部７２及び取付鍔部７３から構成されている。本体部７２は、ほぼ円筒状に形成されている。また、本体部７２には、前面側にセキュリティキー５２の第１軸部５９と係止部６２とが挿通される挿通開口７４が形成されている。挿通開口７４は、略十字形状に形成されている。挿通開口７４のうち、略十字形状の上下は第１軸部５９と係止部６２をキーシリンダ５４に挿入する時に、略十字形状の左右はセキュリティキー５２のツマミ本体６６を９０°回転させて係止部６２をキーシリンダ５４から引き抜く時に使用するように形成されている。本体部７２の内部には、セキュリティキー５２が挿入された時に、係止部６２と係合してセキュリティキー５２の引き抜き方向への移動を規制する係合爪７５が上下にそれぞれ設けられている。本体枠３に取り付けられたキーシリンダ５４にセキュリティキー５２が挿入されると、係止部６２の端面６２ｃと係合爪７５の係合面７５ａとが係合することにより、遊技盤６が封止される。係合爪７５は、弾性変形可能な樹脂によって成形されており、セキュリティキー５２が挿入されると、係合爪７５の斜面７５ｂ，７５ｃと係止部６２の斜面６２ａ，６２ｂとがそれぞれ当接された後に係止部６２によって係合爪７５が弾性変形し、斜面７５ｂと斜面７５ｃとの間隔が拡大するようになっている。
【００３７】
取付鍔部７３には、ビス締め用のビス締め孔７６が上下二箇所に設けられている。キーシリンダ５４の本体部７２を本体枠３に設けられているキーシリンダ取付用の孔に挿入し、ネジ孔にネジ７７をネジ止めさせることにより、キーシリンダ５４が本体枠３に固定される。
【００３８】
次に、セキュリティキー５２の作用について説明する。図９及び図１０に示すように、セキュリティキー５２の第１軸部５９をキーシリンダ５４に挿入すると、第１軸部５９に設けられている係止部６２の端面６２ｃと係合爪７５の係合面７５ａとがそれぞれ係合する。また、操作ツマミ部５８は、規制片６７の先端部６７ａがキー溝７１に挿入される。このため、セキュリティキー５２は、キーシリンダ５４からの引き抜き動作と、端面６２ｃ及び係合面７５ａの係合を解除させる回転動作とが規制されている。したがって、遊技盤６は、セキュリティキー５２によって封止された状態となる。
【００３９】
図１１に示すように、遊技盤６がセキュリティキー５２によって封止されているときに遊技盤６を図１１中のＣ方向に移動させて取り外そうとすると、セキュリティキー５２の規制片６７及び軸部５５が遊技盤ユニット２７によって図１１中のＣ方向に押される。一方、セキュリティキー５２の係止部６２の端面６２ｃとキーシリンダ５４の係合爪７５の係合面７５ａとがそれぞれ係合しているため、セキュリティキー５２は引き抜き方向への移動が規制されている。このため、セキュリティキー５２には、遊技盤６によって引張力が加えられるので、セキュリティキー５２には引張力と同じ大きさの内力が生じる。このとき、軸部５５に貫通孔６５ａ，６５ｂが形成されている箇所には、軸部５５の外周面に溝６４ａ，６４ｂが形成されているので、貫通孔６５ａ，６５ｂが形成されている箇所における軸部５５の断面積は、貫通孔６５ａ，６５ｂが形成されていない他の箇所の断面積よりも小さくなっている。このため、セキュリティキー５２に引張力が加えられた時に、貫通孔６５ａ，６５ｂが形成されている箇所で生じる応力の大きさは、貫通孔６５ａ，６５ｂが形成されていない他の箇所より大きくなる。したがって、セキュリティキー５２は、引張力が加えられると、貫通孔６５ａ，６５ｂが設けられている箇所において容易に破断しやすくなる。なお、以下においては、貫通孔６５ａが形成されている箇所で軸部５５が分離して破断したものとして説明する。
【００４０】
貫通孔６５ａが形成されている箇所で軸部５５が破断すると、貫通孔６５ａと同一形状の貫通孔６５ｂが形成されている箇所には、セキュリティキー５２に引張力が加えられた痕跡が生じる。ここで、痕跡とは、例えば貫通孔６５ｂが形成されている箇所が変形して軸方向の寸法が長くなったり、あるいは、図１２に示すように、他の孔が形成されている箇所において白化が生じ、孔の端部から軸部５５の外周面との間に幾筋もの白い筋（符号６０ｃ）が見受けられる状態になること等を意味する。この場合に、破断した箇所には変形が生じているから、破断した面に接着剤等をつけて復元し、あたかも遊技盤６を取り外すような不正な行為を行っていないかのようにすることを困難にすることができる。
【００４１】
さらに、このようにセキュリティキー５２を復元したとしても、軸部５５には、破断しなかった他の孔が形成されている箇所において白化等の痕跡が残っているから、その痕跡を確認することによって不正行為が行われたか否かを判断することができる。また、セキュリティキー５２を復元した場合に、貫通孔６５ａ，６５ｂは操作ツマミ部５８に近接するように形成されているから、白化等の痕跡の有無を容易に確認することができる。
【００４２】
また、貫通孔６５ａ，６５ｂは、貫通孔６５ａ，６５ｂの端部と溝６４ａ，６４ｂの底部とが近接するように形成されており、貫通孔６５ａ，６５ｂが形成されている箇所における第２軸部６０の肉厚を薄くすることによって、セキュリティキー５２に引張力が加えられたときに、第２軸部６０に生じる内力に耐えられる限界値を低くしている。このため、セキュリティキー５２が破断したり、変形する等の痕跡を確実に残すことが可能になる。なお、この痕跡は、遊技盤６を取り外そうとしてセキュリティキー５２に引張力が加えられたことを示せばよいので、上述した方法以外の方法によってその痕跡を残すこととしてもよい。
【００４３】
次に、操作ツマミ部５８の規制片６７を切断してセキュリティキー５２を取り外す場合について説明する。図１３に示すように、規制片６７の先端部６７ａはキー溝７１に挿入されており、回転溝６９に挿入されたツマミ本体６６の回転動作が規制されている。例えばニッパー等によって規制片６７を切断すると、図１４に示すように規制片６７をキー溝７１から取り外すことができる。この状態では、回転溝６９に挿入されたツマミ本体６６を操作することによって、回転溝６９でセキュリティキー５２を回転させることが可能になる。この場合における係止部６２と係合爪７５との関係を図１５及び図１６に基づいて説明する。前述したように、セキュリティキー５２は、通常は係止部６２の端面６２ｃと係合爪７５の係合面７５ａとが係合する状態で維持されており、セキュリティキー５２の回転動作や、セキュリティキー５２をキーシリンダ５４から引き抜く動作が規制されている。
【００４４】
図１５に示すように、規制片６７が切断されてツマミ本体６６から取り外されると、セキュリティキー５２が回転可能な状態になる。ここで、ツマミ本体６６を操作してセキュリティキー５２を９０°回転させた状態にすると、係止部６２の位置をキーシリンダ５４の本体部７２の挿通開口７４における略十字形状の左右方向に向けさせることができる。したがって、セキュリティキー５２を回転させることによって、端面６２ｃと係合爪７５の係合面７５ａとが係合した状態から端面６２ｃと係合面７５ａとの係合を解除した状態にすることができる。図１７に示すように、セキュリティキー５２を引き抜き方向へ移動させてセキュリティキー５２を取り外すと、取り外し時にはセキュリティキー５２には力が加えられないので、貫通孔６５ａ，６５ｂが形成されている箇所において破断したり、変形や白化等の痕跡を残すことなくセキュリティキー５２が取り外される。
【００４５】
しかし、規制片６７を切断してセキュリティキー５２をキーシリンダ５４から引き抜いて制御装置を改造する等の不正行為を行い、規制片６７が切断された状態のセキュリティキー５２をキーシリンダ５４に挿入している場合には、規制片６７が切断されていることによって、不正行為が行われたか否かを確認することができる。したがって、点検時等においては、点検者はセキュリティキー５２の規制片６７が切断されているか否かを確認すればよいことになるので、点検者の作業効率を上げることができる。また、規制片６７を切断してセキュリティキー５２をキーシリンダ５４から引き抜いて制御装置を改造する等の不正行為を行い、接着剤等で規制片６７をツマミ本体６６に接着してセキュリティキー５２をキーシリンダ５４に挿入して、あたかも不正行為が行われていないかのように見せかけられている場合でも、セキュリティキー５２は透明な部材で形成されているので、規制片６７を切断した箇所が白化したり、規制片を接着した箇所に接着剤を塗った痕跡が残る。操作ツマミ部５８は、点検者が視認しやすい箇所に設けられているので、点検者は、規制片６７が後付けされたか否かを容易に確認することができる。
【００４６】
なお、本実施形態では、セキュリティキーの軸部に貫通孔を貫通させているが、本発明はこれに限定されるものではない。例えば、図１８に示すように、セキュリティキー８１の軸部８２において、孔８３が形成されている箇所の肉厚がＨ型になるようにしてもよい。このように形成することによっても、本実施形態のセキュリティキー５２と同様の効果を奏することが可能である。なお、孔が形成されている箇所の肉厚の形状はこれ以外であってもよく、セキュリティキー５２に力が加えられたときに、確実に孔が形成された箇所において破断又は変形するように形成されていればよい。
【００４７】
また、本実施形態では、軸部の軸方向及び操作ツマミ部の長手方向と直交する方向から見た場合の貫通孔の形状が六角形になるようにしているが、本発明はこれに限定されるものではなく、セキュリティキーの軸部に設ける貫通孔の形状を円形としてもよいし、貫通孔を軸方向と直交する方向に並べて配列させてもよい。例えば、図１９に示すように、本実施形態の変形例のセキュリティキー８４は、軸部８５にＶ字型の溝８６ａ，８６ｂが軸部８５の全周にわたって形成されている。溝８６ａ，８６ｂが形成されている箇所には、複数の貫通孔８７，８８，８９，９０が形成されている。これらの貫通孔８７，８８，８９，９０の形状は、軸部８５の軸方向及び操作ツマミ部５８の長手方向と直交する方向から見た場合には円形になるように形成されている。貫通孔８７，８８は、溝８６ａが形成されている箇所において、軸部８５の軸方向と直交する方向（図１９においては上下方向）にそれぞれ形成されている。同様に、貫通孔８９，９０は、溝８６ｂが形成されている箇所において、軸部８５の軸方向と直交する方向（図１９においては上下方向）にそれぞれ形成されている。
【００４８】
図２０に示すように、図１９中のＥ−Ｅ´地点における軸部８５の断面を見ると、軸部８５の軸方向及び操作ツマミ部５８の長手方向と直交する方向に貫通孔８７，８８が貫通している。また、図示はしていないが、貫通孔８９，９０が形成されている箇所の断面も図２０と同一の形状になる。このため、貫通孔８７，８８，８９，９０が形成されている箇所における軸部５５の断面積は、貫通孔８７，８８，８９，９０が設けられていない他の箇所の軸部５５の断面積よりも小さくなっている。遊技盤６を取り外そうとしてセキュリティキー８４に引張力が加わり、セキュリティキー８４に内力が発生すると、貫通孔８７，８８，８９，９０が設けられている箇所で軸部５５に生じる応力は、貫通孔８７，８８，８９，９０が設けられていない軸部５５の他の箇所に生じる応力より大きくなる。したがって、セキュリティキー８４は、引張力が加わると、貫通孔８７，８８又は貫通孔８９，９０が設けられている箇所のいずれかにおいて破断し、破断しなかった孔が設けられている他方の箇所には、セキュリティキー８４に引張力が加えられた痕跡が生じる。このように、孔部の形状を変えて形成しても、本実施形態のセキュリティキー５２と同様の効果を奏することが可能である。
【００４９】
また、本実施形態では、軸部８５の軸方向に２つの孔を並べて配列することとしているが、孔の数は２つに限定されるものではなく、適宜複数個配列させることとしてもよい。
【００５０】
また、本実施形態では、本発明のセキュリティキーをパチンコ機に適用した例について説明をしているが、本発明はこれに限定されるものではなく、スロットマシンや、パチンコ球を使用してスロットマシンと同様の遊技を行うパチンコスロット機に適用することも可能である。
【図面の簡単な説明】
【００５１】
【図１】本発明の一形態であるパチンコ機の外観を表した外観斜視図である。
【図２】ガラス枠を開けた状態のパチンコ機を表した斜視図である。
【図３】本体枠に遊技盤を取り付ける状態を表した斜視図である。
【図４】遊技盤ユニットの構成を表した分解斜視図である。
【図５】セキュリティキー並びにロック機構及びキーシリンダの構成を表した斜視図である。
【図６】セキュリティキー並びにセキュリティキーが挿入される遊技領域規定枠の枠本体、遊技盤及び本体枠の構成を表した斜視図である。
【図７】セキュリティキーの孔を横から見た拡大図である。
【図８】軸部のＢ−Ｂ´断面における断面を表した縦断面図である。
【図９】セキュリティキーをキーシリンダに挿入する場合のセキュリティキー及びその近傍の構成を表した断面図である。
【図１０】セキュリティキーをキーシリンダに挿入した場合におけるセキュリティキー及びその近傍を表した断面図である。
【図１１】孔が形成されている箇所において破断した場合におけるセキュリティキー及びその近傍を表した断面図である。
【図１２】セキュリティキーが破断した場合において、破断しなかった他の孔が形成されている箇所に生じる痕跡の一例を表した拡大図である。
【図１３】キーシリンダに挿入された状態のセキュリティキーを正面から見た図である。
【図１４】キーシリンダに挿入された状態のセキュリティキーを正面から見た図であって、規制片をツマミ本体から切断した状態を表した図である。
【図１５】規制片がツマミ本体から切断された状態のセキュリティキー及びその近傍を表した断面図である。
【図１６】規制片がツマミ本体から切断された状態のセキュリティキーを９０°回転させた状態におけるセキュリティキー及びその近傍を表した断面図である。
【図１７】キーシリンダに挿入した状態から９０°回転させて、キーシリンダからセキュリティキーを引き抜いた場合におけるセキュリティキー及びその近傍を表した断面図である。
【図１８】本実施形態のセキュリティキーの孔形状を変形した変形例であって、軸部のＡ−Ａ´断面における断面を表した縦断面図である。
【図１９】本実施形態のセキュリティキーの孔形状を変形した変形例の外観構成を表した側面図である。
【図２０】本実施形態のセキュリティキーの孔形状を変形した変形例であって、軸部のＥ−Ｅ´断面における断面を表した縦断面図である。
【符号の説明】
【００５２】
１  パチンコ機（遊技機）
３  本体枠
６  遊技盤
２１  支持枠
２７  遊技盤ユニット
４４  貫通孔
５２，８１，８４  セキュリティキー
５４  キーシリンダ（係合部）
５５，８２，８５  軸部
５８  操作ツマミ部
６２  係止部
６５ａ，６５ｂ，８７，８８，８９，９０  貫通孔
６６  ツマミ本体
６７  規制片
７１  キー溝
７５  係合爪
８３  孔
【図１】
2007014558.tif 000003
【図２】
2007014558.tif 000004
【図３】
2007014558.tif 000005
【図４】
2007014558.tif 000006
【図５】
2007014558.tif 000007
【図６】
2007014558.tif 000008
【図７】
2007014558.tif 000009
【図８】
2007014558.tif 000010
【図９】
2007014558.tif 000011
【図１０】
2007014558.tif 000012
【図１１】
2007014558.tif 000013
【図１２】
2007014558.tif 000014
【図１３】
2007014558.tif 000015
【図１４】
2007014558.tif 000016
【図１５】
2007014558.tif 000017
【図１６】
2007014558.tif 000018
【図１７】
2007014558.tif 000019
【図１８】
2007014558.tif 000020
【図１９】
2007014558.tif 000021
【図２０】
2007014558.tif 000022